(57)【要約】被貼付面に及ぼす効果を向上できる構造を実現する。貼付対象の被貼付面に貼付される薄膜を、使用時にいずれか一方が被貼付面側に配置される表裏面を有し、生体適合性のある薄膜本体と、薄膜本体の表面に積層した第一の機能性成分を含んで成る第一の機能層と、薄膜本体の裏面に積層した第一の機能性成分とは異なる第二の機能性成分を含んで成る第二の機能層とを備える。
2018061595.tif 000002
【特許請求の範囲】
【請求項１】
貼付対象の被貼付面に貼付される薄膜であって、
生体適合性のある薄膜本体と、
前記薄膜本体の表面に積層した第一の機能性成分を含んで成る第一の機能層と、
前記薄膜本体の裏面に積層した前記第一の機能性成分とは異なる第二の機能性成分を含んで成る第二の機能層と、を備える、
薄膜。
【請求項２】
前記貼付対象は、ヒトの肌であり、
前記第一の機能性成分と前記第二の機能性成分とが、美容上の効能において異なる、
請求項１に記載の薄膜。
【請求項３】
使用時に、前記裏面が前記被貼付面側に、前記表面がその反対側に、それぞれ配置され、
前記第二の機能性成分は前記薄膜本体を通過せずに、前記第一の機能性成分は前記薄膜本体を通過して、それぞれ前記被貼付面に浸透し、
前記薄膜本体は、前記被貼付面への前記第一の機能性成分の浸透を、前記被貼付面への前記第二の機能性成分の浸透よりも遅延させる、
請求項１に記載の薄膜。
【請求項４】
使用時に、前記裏面が前記被貼付面側に、前記表面がその反対側に、それぞれ配置され、
より蒸散性の低い機能性成分が、前記第一の機能性成分として前記表面に積層され、
より蒸散性の高い機能性成分が、前記第二の機能性成分として前記裏面に積層される、
請求項１に記載の薄膜。
【請求項５】
使用時に、前記裏面が前記被貼付面側に、前記表面がその反対側に、それぞれ配置され、
前記第一の機能性成分が、色成分または紫外線防御成分の何れか一方である、
請求項１に記載の薄膜。
【請求項６】
ヒトの肌の被貼付面に貼付される薄膜を形成するための薄膜形成方法であって、
前記肌を被写体とし、少なくとも前記被貼付面を含む画像を取得するステップと、
前記画像から、前記被貼付面に関する形状情報を抽出するステップと、
美容上の効能を有する第一の機能性成分を含む第一の印刷材料を、前記薄膜の薄膜本体の表面に、前記形状情報に基づいて印刷して、前記薄膜の第一の機能層を形成するステップと、
前記第一の機能性成分とは美容上の効能が異なる第二の機能性成分を含む第二の印刷材料を、前記薄膜本体の裏面に、前記形状情報に基づいて印刷して、前記薄膜の第二の機能層を形成するステップと、を含む、
薄膜形成方法。
【請求項７】
前記第一の機能層を形成するステップの後に、前記第一の機能層に乾燥処理を施してから、前記第二の機能層を形成するステップを実行する、
請求項６に記載の薄膜形成方法。
【発明の詳細な説明】
【技術分野】
【０００１】
本開示は、例えば、肌に貼付可能な美容シート等の薄膜、および、薄膜形成方法に関する。
【背景技術】
【０００２】
従来、肌に貼付可能であり、例えば、化粧材、薬剤等の機能性成分が付与された美容シート等の薄膜が知られている（例えば、特許文献１参照）。特許文献１に記載の薄膜の形成方法は、例えば、肌のシミ等の変色部分を目立たなくするために、薄膜に、所定の形状、大きさおよび色を有する機能性成分を含んで成る画像部を印刷する。そして、ユーザは、薄膜の画像部を目標位置に合わせて貼付することで、顔のメイクアップや、シミ隠し等の肌のケアを簡単に行うことができる。
【先行技術文献】
【特許文献】
【０００３】
【特許文献１】特開２０１５−４３８３６号公報
【特許文献２】特開２０１２−８６４７５号公報
【特許文献３】特開２０１５−１１７１９６号公報
【特許文献４】特開２０１６−８８８８２号公報
【特許文献５】特開平１０−４６０７３号公報
【特許文献６】特開２００５−１２６７２９号公報
【特許文献７】特開２０１２−２０３４２５号公報
【発明の概要】
【０００４】
ところで、特許文献１に記載された薄膜の場合、画像部が薄膜の片側面にのみ形成されているため、薄膜が被貼付面に及ぼす効果が限られてしまう可能性がある。
【０００５】
本開示の一態様は、被貼付面に及ぼす効果を向上し得る薄膜および薄膜形成方法を提供する。
【０００６】
本開示の薄膜は、貼付対象の被貼付面に貼付される薄膜であって、使用時にいずれか一方が前記被貼付面側に配置される表裏面を有し、生体適合性のある薄膜本体と、前記薄膜本体の表面に積層した第一の機能性成分を含んで成る第一の機能層と、前記薄膜本体の裏面に積層した前記第一の機能性成分とは異なる第二の機能性成分を含んで成る第二の機能層とを備えている。
【０００７】
本開示の一態様によれば、被貼付面に及ぼす効果を向上できる薄膜および薄膜形成方法を提供できる。
【図面の簡単な説明】
【０００８】
【図１Ａ】本開示に係る実施の形態１の薄膜の断面模式図
【図１Ｂ】図１Ａの上方から見た状態で示す薄膜の模式図
【図１Ｃ】図１Ａの下方から見た状態で示す薄膜の模式図
【図２】実施の形態１の薄膜の形成に使うメイク支援システムの１例を示す模式図
【図３】メイク支援システムを構成する画像処理装置のブロック図
【図４】実施の形態１の薄膜を形成するための薄膜形成方法のフローチャート
【図５Ａ】本開示の実施の形態２の薄膜の断面模式図
【図５Ｂ】図５Ａを上方から見た状態で示す模式図
【図５Ｃ】図５Ａを下方から見た状態で示す模式図
【図６Ａ】本開示の実施の形態３の薄膜の断面模式図
【図６Ｂ】図６Ａを上方から見た状態で示す模式図
【図６Ｃ】図６Ａを下方から見た状態で示す模式図
【図７Ａ】本開示の実施の形態４の薄膜の断面模式図
【図７Ｂ】図７Ａを上方から見た状態で示す模式図
【図７Ｃ】図７Ａを下方から見た状態で示す模式図
【発明を実施するための形態】
【０００９】
以下、本開示の実施の形態について、図面を参照して詳細に説明する。
【００１０】
［１．  実施の形態１］
図１Ａ〜１Ｃを参照して、本開示の実施の形態１の薄膜５０について説明する。
【００１１】
薄膜５０は、シート状の薄膜本体５２０と、薄膜本体５２０の表面に積層されたシート状の第一の機能層５３０と、薄膜本体５２０の裏面に積層されたシート状の第二の機能層５４０とを備えている。
【００１２】
薄膜本体５２０は、第一の機能層５３０および第二の機能層５４０の支持台として機能している。また、第一の機能層５３０および第二の機能層５４０は、被貼付面である変色領域５１１に貼付された状態（以下、貼付状態という）で、変色領域５１１に対して、例えば、美容、医療等の効果を及ぼす。薄膜５０は、手または装置によって、第一の機能層５３０および第二の機能層５４０が形成された部分が、変色領域５１１と表裏方向に重畳するように貼付される。なお、被貼付面は、変色領域５１１に限定されず、例えば、ユーザの顔に形成されたシワ等のシワ領域、傷等の傷領域等の各種領域が相当する。
【００１３】
なお、以下の説明では、薄膜５０のうち、変色領域５１１（例えば、ユーザの肌のシミ）に密着して貼付される側の面を「肌側面」といい、反対側の面を「外側面」という。本実施の形態の薄膜５０は、表面を肌側面として使用することもできるし、表面を外側面として使用することもできる。また、以下の説明において、「表裏方向」といった場合には、薄膜本体５２０の表裏方向のことをいう。
【００１４】
以下、本実施の形態の薄膜５０の具体的構成について説明する。薄膜本体５２０は、人の肌に貼り付けても違和感が無く、無色透明、肌色、白色または半透明であって、かつ、生体適合性を有するシート状部材である。このような薄膜本体５２０の厚さは、１０−１００００ｎｍ（１０ｎｍ−１０μｍ）を用いることができ、特に１０−１０００ｎｍが好ましい。薄膜本体が疎水性の性質を有する場合は特に１０−８００ｎｍが好ましい。図１Ｂ、１Ｃに示された薄膜本体５２０の平面視の形状は、矩形状である。ただし、薄膜本体５２０の平面視の形状は、変色領域５１１の形状や変色領域５１１の周辺の形状に合わせて各種形状を採用できる。なお、薄膜本体５２０は、スピンコート法やロールツーロール法、ＬＢ法などで形成されるシートや、電界紡糸法などで生成されるファイバーが折り重なるファイバーシートの形状のほか、相分離法、延伸法、エッチング法などで形成される多孔形状のいずれでもよく、少なくとも外側面側の機能層の機能性成分が透過可能な透過性を有しているのが好ましい。また、薄膜本体５２０は、変色領域５１１または変色領域５１１の周辺の形状に追従できるように、外周部や面内に任意の切れ込みを有する場合もある。
【００１５】
薄膜本体５２０の材料は、例えば、ポリグリコール酸、ポリ乳酸、ポリカプロラクトン、ポリエチレンサクシネート、ポリエチレンテレフタレート、ポリエチレングリコール、ポリプロピレングリコール、ナイロン、ポリグルタミン酸、ポリイミド、アクリルシリコーン、トリメチルシロキシケイ酸、ジメチルポリシロキサン、アクリル酸／シリコーン共重合体、アクリル酸アルキル／アミド共重合体、ポリエチレン、ポリプロピレン、ポリウレタン等の樹脂、ポリアニリン、ポリチオフェン、ポリピロール、ポリビニルアルコール、ポリカーボネート、ポリスチレン、ナフィオン等のポリマー、または、プルラン、セルロース（例えば、カルボキシメチルセルロース、ヒドロキシエチルセルロース等）、デンプン、キチン、キトサン、アルギン酸、コーンスターチ、ペクチン、アラビノキシラン、グリコーゲン、アミロース、アミロペクチン、ヒアルロン酸等の多糖類から選択できる。特に、薄膜本体５２０の材料は、ポリ乳酸、セルロース（例えば、カルボキシメチルセルロース、ヒドロキシエチルセルロース等）、デンプン、キチン、キトサン、アルギン酸、コーンスターチ、ポリウレタンが好ましい。その他、薄膜本体として採用できる材料は、例えば特許文献２に記載されているため、ここでの詳細な説明を省略する。
【００１６】
第一の機能層５３０は、薄膜本体５２０の表面（図１Ａの下側面）に積層されたシート状である。このような第一の機能層５３０は、第一の機能性成分を含む第一の印刷材料を薄膜本体５２０の表面に印刷することにより形成される。なお、第一の機能層５３０は、１枚のシートでも、複数枚のシートを積層した積層体でもよい。また、第一の機能性成分は、１種類でも、複数種類でもよい。第一の機能性成分は、例えば、色成分、遮蔽成分、美白成分、紫外線防御成分（紫外線吸収成分、紫外線散乱成分）、保湿成分、抗炎症成分、抗菌成分、活性酸素抑制成分、老化防止成分、血行促進成分等である。その他、機能性成分は、例えば、肌のハリ・弾力を向上する成分、細胞の活性化を促す成分等の各種機能性成分でもよい。
【００１７】
なお、第一および第二の機能層のそれぞれについて、さらに複数種類の成分を混合した層でもよい。また、第一および第二の機能層のそれぞれをさらに複数の層で構成し、異なる成分を別の層として積層して構成してもよい。例えば、第一あるいは第二の機能層のうち、一部の層のみに、ファンデーション層、紫外線防止層、というメイク機能を持たせて、他の層（肌に接触する層）にスキンケア機能を構成してもよい。また、例えば、第一の層あるいは第二の層について、一部の層を、光の反射、屈折の異なる層で設計することにより、機能のみではなく、官能的なツヤ感やマット感を設計することも可能ある。あるいは、第一あるいは第二の機能層において、より薄膜表面に近い層を、外側の層よりも浸透速度が速い成分で構成してもよい。また、第一の機能層５３０の第一の機能性成分は、薄膜本体５２０を通過する性質のものでも、通過しない性質ものでもよい。また、第一機能性成分について、温度や水分有無でレオロジーが変化する性質を持たせてもよい。なお、前述の各種成分に関しては、例えば、特許文献３、４等に記載されているため、詳しい説明は省略する。
【００１８】
なお、図１Ｂ、１Ｃに示された第一の機能層５３０は、平面視で円形状に形成されている。ただし、第一の機能層５３０の平面視の形状は、各種形状を採用できる。なお、機能層の断面は、多孔形状やファイバーが折り重なった形状、網目や孔の無い高密度な面など限定されるものではない。このような構成によって、薄膜のみで構成する場合と比較して、事前に塗っておいた軟膏や薬効成分を、より留めやすくしたり、動きにくくしたり、擦れたりしないようさせる効果が高い。
【００１９】
第二の機能層５４０は、薄膜本体５２０の裏面（図１Ａの上側面）に積層されたシート状である。第二の機能層５４０は、第二の機能性成分を含む第二の印刷材料を薄膜本体５２０の裏面に印刷することにより形成される。なお、第二の機能性成分は、１種類でも、複数種類でもよい。このような第二の機能性成分は、第一の機能性成分と異なる機能性成分を少なくとも１種類含んでいる。換言すれば、第二の機能成分は、第一の機能成分と異なる効能（例えば、美容上、医療上の効能）を発揮する機能性成分を少なくとも１種類含んでいる。なお、第二の機能性成分の全てを、第一の機能性成分と異ならせることもできる。第二の機能性成分は、第一の機能性成分と同様に、前述した各種機能性成分を採用できる。また、第二の機能層５４０の第二の機能性成分は、薄膜本体５２０を通過する性質のものでも、通過できない性質ものでもよい。なお、図１Ｂ、１Ｃに示された第二の機能層５４０は、平面視で、第一の機能層５３０よりも直径が小さい円形状に形成されている。本実施の形態の場合、図１Ｃに示すように、表裏方向に関して、第二の機能層５４０の全体が、第一の機能層５３０と重畳している。ただし、第二の機能層５４０の平面視の形状は、各種形状を採用できる。
【００２０】
以上のような構成を有する本実施の形態の薄膜５０は、例えば、図１Ａに示すように、裏面を肌側面として、第二の機能層５４０が、変色領域５１１に重なるようにユーザの肌に貼付される。このため、第一の機能層５３０および第二の機能層５４０の形状は、変色領域５１１の大きさ、形状および位置に合わせて適宜決定される。また、第一の機能層５３０および第二の機能層５４０を構成する機能性成分は、変色領域５１１に及ぼしたい効果に応じて適宜決定される。
【００２１】
なお、例えば、裏面を肌側面とした場合に、第一の機能層５３０の第一の機能性成分を、薄膜本体５２０を通過する性質のものとすれば、第二の機能層５４０の第二の機能性成分が変色領域５１１に浸透するタイミングよりも遅いタイミングで、第一の機能層５３０の第一の機能性成分を、変色領域５１１に浸透させることができる。このような性質を利用すれば、第一の機能層５３０の効果が変色領域５１１に及ぶタイミングと、第二の機能層５４０の効果が変色領域５１１に及ぶタイミングとの関係を調整できる。
【００２２】
また、例えば、第一の機能層５３０の第一の機能性成分と第二の機能層５４０の第二の機能性成分との間に、蒸散性の違いがある場合には、肌側面側の機能層の機能性成分（本実施の形態の場合、第二の機能層５４０の第二の機能性成分）を、蒸散性の高い機能性成分とする。このようにすれば、蒸散性の高い機能性成分の効能を無駄なく高濃度の状態で発揮させることができる。
【００２３】
［１．２  システム構成］
以下、図２を参照して実施の形態１の薄膜５０の形成に使用されるメイク支援システムの１例の概要について説明する。
【００２４】
図２は、メイク支援システムの１例の概要を示す模式図である。
【００２５】
図２において、メイク支援システム１００は、照明部２０１、カメラ２０２、およびタッチパネル付き液晶ディスプレイ等の表示部２０３を備えた画像処理装置２００と、画像処理装置２００と通信可能に接続された印刷装置３００とを含む。画像処理装置２００および印刷装置３００は、例えば、工場、化粧品販売店舗、美容室、医療機関、身だしなみを整えるメイクルーム、イベント会場、および個人宅等に配置される。なお、画像処理装置２００は、容易に持ち運ぶことも可能なポータブル型の装置であってもよい。
【００２６】
画像処理装置２００は、表示部２０３の正面に位置するユーザ４００の顔を、照明部２０１により照明した状態で、表示部２０３の近傍に配置されたカメラ２０２により撮影する。そして、画像処理装置２００は、撮影された画像を左右方向において反転された画像（以下「顔画像」という）５００を、表示部２０３に表示させる。すなわち、画像処理装置２００は、鏡を覗き込んでいるような感覚をユーザ４００に与えるように構成されている。
【００２７】
また、画像処理装置２００は、得られた顔画像５００から（あるいは反転前の画像から）、変色領域５１１に関する情報（以下、変色領域情報という）を抽出する機能を有する。具体的には、例えば、画像処理装置２００は、顔画像５００内の色差や撮影時にユーザに照射される可視光照明の反射と吸収を解析し変色領域５１１を判定する。変色領域情報は、例えば、変色領域５１１の位置、大きさ、範囲および形状のうちの少なくとも１種類の情報を含む形状情報、色情報、ならびに、変色領域の区分情報等を含む。変色領域の区分情報は、変色領域５１１の変色の要因の違いに基づく、色素斑、肝斑、扁平母斑、色素細胞性母斑、太田母斑、後天性真皮メラノサイトーシス、紅斑、紫斑、白斑、青あざ、ほくろ、毛穴の黒ずみ、日焼け領域、ざ瘡（ニキビ）、ニキビ痕、摩擦や炎症による色素沈着、しわ、雀卵斑（そばかす）、タトゥー、疣贅、瘢痕等の区分を含む。なお、画像処理装置２００は、被貼付面が変色領域５１１以外の場合にも、前述した変色領域情報に相当する被貼付面の情報を取得する機能を有する。以下の説明では、被貼付面を、変色領域５１１とする。
【００２８】
また、画像処理装置２００は、変色領域５１１の周辺領域の情報（以下、周辺領域情報という）を抽出する機能を有する。周辺領域情報は、例えば、変色領域５１１の周辺の色（以下、周辺色という）に関する色情報、凹凸等の形状に関する形状情報を含む。なお、周辺色は、画像処理装置２００により、分光測色計などの外部測定機器で取得した包含領域等の色情報の測定値に基づき決定されてもよく、事前に用意されたカラーサンプルから選択することにより決定されてもよい。または、周辺色は、ユーザが使用しているファンデーションやコンシーラー等の色情報を画像処理装置２００が取得して、周辺色として画像処理装置２００により決定されてもよい。
【００２９】
また、画像処理装置２００は、変色領域情報および周辺領域情報に基づいて、印刷データを生成する。印刷データは、例えば、印刷材料に関するデータ（以下、材料データという）および画像データを含む。材料データは、変色領域情報の区分情報に基づいて決定される。例えば、画像処理装置２００は、変色領域情報に基づいて、美白成分やビタミンなど変色領域５１１に効く機能性成分を印刷データとして選定する。
【００３０】
その他、画像処理装置２００は、変色領域情報および周辺領域情報以外の情報に基づいて、印刷データを生成することもできる。例えば、顔画像５００における陰影からシワ、法令線、ゴルゴライン、バニーライン等（以下、シワ等という）を検出する。これらシワ等を目立たなくすることを目的とする場合には、画像処理装置２００は、保湿効果を有する機能性成分を印刷データとして選定する。
【００３１】
以下、前述した実施の形態１の薄膜５０を形成する際に必要となる、画像処理装置２００の機能について、簡単に説明する。なお、以下の説明では、薄膜５０のうち、第二の機能層５４０が形成された側を肌側面とする。
【００３２】
薄膜５０を形成する場合、画像処理装置２００は、第一の機能層５３０および第二の機能層５４０についての印刷データを生成する。すなわち、画像処理装置２００は、変色領域情報の区分情報に基づいて第一の機能層５３０の第一の印刷材料に関する材料データを決定する。また、画像処理装置２００は、変色領域情報の形状情報に基づいて第一の機能層５３０に関する画像データを決定する。画像処理装置２００は、第二の機能層５４０の印刷データも同様に生成する。
【００３３】
例えば、第一の機能層５３０にシミ隠しの機能を持たせる場合には、第一の機能性成分として色成分を選択する。具体的には、画像処理装置２００は、第一の機能層５３０が変色領域５１１に貼付された状態で、周辺色と馴染むような色成分を、周辺領域情報に基づいて決定する。
【００３４】
また、画像処理装置２００は、第一の機能層５３０および第二の機能層５４０に関する、薄膜本体５２０上の位置（例えば、座標）、寸法、形状、色等に関する画像データを決定する。そして、画像処理装置２００は、材料データおよび画像データを含む印刷データを印刷装置３００へ出力する。
【００３５】
印刷装置３００は、画像処理装置２００から出力された印刷データに基づいて、薄膜５０の薄膜本体５２０に画像を印刷する。このような印刷装置３００は、例えば、薄膜本体５２０の表面に第一の機能層５３０を印刷した後、薄膜本体５２０の裏面に第二の機能層５４０を印刷する両面印刷の機能を有する。また、印刷装置３００は、薄膜本体５２０の表面に第一の機能層５３０を印刷した後に、第一の機能層５３０を乾かすヒータ機能を有する。なお、印刷装置３００の両面印刷機能は、従来から知られている印刷装置等の両面印刷機能とほぼ同様であるため、詳細な説明は省略する。
【００３６】
そして、印刷装置３００は、薄膜５０を出力する。ユーザ４００は、薄膜５０のうち、第二の機能層５４０が形成された側を肌側面として、第二の機能層５４０が、変色領域５１１と表裏方向に重畳するように、薄膜５０を変色領域５１１に貼付する。
【００３７】
貼付状態で、第二の機能層５４０に含まれる第二の機能成分が、変色領域５１１に所定の効果を及ぼす。一方、第一の機能層５３０は、変色領域５１１に直接貼付されていないが、第一の機能性成分に基づいて、変色領域５１１に所定の効果（例えば、シミ隠し等の効果）を及ぼす。以上のように、メイク支援システム１００は、薄膜５０を肌４１０に貼るといった簡単かつ短時間で済む動作により、変色領域５１１に対して、所定の処置をすることができる。
【００３８】
なお、印刷装置３００において印刷に用いられる機能性成分以外の印刷材料（インク）および各部の具体的構成については、例えば特許文献５〜７に記載されているため、ここでの詳細な説明を省略する。
【００３９】
［１．２．１  画像処理装置２００に関する付記］
画像処理装置２００は、例えば、現在の測定情報と過去の測定情報とを比較し、例えば、色が濃くなる等の変化が肌にある場合、日焼けの可能性を判断し「日焼け対策をおすすめします」といった内容のガイダンスを、表示部２０３に表示する機能を有していてもよい。この際、画像処理装置２００は、日焼け対策を行うか否かの選択をユーザに促す。ユーザが、日焼け対策の実行を選択した場合には、お勧めの機能性成分の選択画面を表示部２０３に表示する。そして、ユーザは、選択した機能性成分付き薄膜をインターネットを介して注文すれば、後日、宅配される薄膜を入手できる。あるいは、ユーザの自宅に薄膜印刷用のプリンタを配置しておけば、ユーザは、薄膜をオンデマンドで生成することもできる。以上のように、画像処理装置２００は、ユーザからの入力に基づいて薄膜の印刷データを決定することもできる。
【００４０】
また、画像処理装置２００は、例えば、過去の測定情報と現在情報とを比較し、シミ、シワ、法令線等に改善効果が認められない場合は、機能層が含む機能性成分の単位面積当たりの濃度を濃くする等の調整を行う機能を有していてもよい。
【００４１】
また、画像処理装置２００は、顔の特徴点から顔部品を抽出し、顔部品に応じた薄膜形状を決定する機能を有する。また、画像処理装置は、顔部品の形状に追従させるために薄膜の外周部や面内に形成する切れ込みの情報を、印刷データに含む機能を有する。
【００４２】
また、画像処理装置２００は、対処範囲が広範囲になる場合には顔部品毎に薄膜を生成する。これによりユーザはハンドリングしやすく、適用位置を理解しやすくなる。即ち、画像処理装置２００は、変色領域やシワ等が複数箇所に離れて存在していて対象範囲が広い場合に、１枚の薄膜でまとめてケアする場合と、複数枚の薄膜でケアする場合との判定を行う機能を有する。
【００４３】
また、画像処理装置２００は、２次元平面の撮像画像からだと正確な変色領域５１１のサイズを取得しにくい部分（例えば、コメカミ付近等）が対象の場合には、顔の平均曲率を考慮して変色領域５１１のサイズを算出する機能を有していてもよい。
【００４４】
［１．３  薄膜形成方法］
以下、図１Ａ〜４を参照して実施の形態１の薄膜５０を形成するための薄膜形成方法の１例について説明する。なお、図３はメイク支援システムを構成する画像処理装置２００のブロック図であり、図４は本例の薄膜形成方法のフローチャートである。以下の説明では、図１Ａに示すように、薄膜５０のうち、第二の機能層５４０が形成された側が肌側面となる場合について説明する。また、第一の機能層５３０の第一の機能性成分をシミ隠しのための色成分とし、第二の機能層５４０の第二の機能性成分を美白成分として説明する。
【００４５】
［１．３．１  第１ステップ］
まず、ステップＳ１１００において、画像処理装置２００が備える画像取得部２２０は、顔画像５００（図２参照）を取得する。
【００４６】
［１．３．２  第２ステップ］
次に、ステップＳ１２００において、画像処理装置２００が備える画像解析部２３０は、顔画像５００から、変色領域５１１に関する変色領域情報および変色領域５１１の周辺領域に関する周辺領域情報を取得する。この際、画像解析部２３０は、情報格納部２１０に格納された画像解析に必要な各種情報を取得する。なお、情報格納部２１０には、印刷種別決定部２４０による印刷種別の決定に必要な各種情報等も予め格納されている。変色領域情報および周辺領域情報が含む情報は前述したと通りである。
【００４７】
以下、変色領域情報の色情報を取得する方法の１例について説明する。
【００４８】
例えば、変色領域５１１の色情報を取得するために、先ず、画像解析部２３０は、顔画像５００のうち、鼻の穴、目、口、眉毛等である顔部品を除いた領域から、予め定められた色範囲の領域を肌領域として取得する。次に、画像解析部２３０は、取得した肌領域を、例えば、明度などの所定の画素値を境界として、変色領域５１１と非変色領域とに区分して、変色領域５１１を抽出する。なお、この際、画像解析部２３０は、所定の面積以下の変色領域５１１については、非変色領域として取り扱うようにしてもよい。そして、画像解析部２３０は、変色領域５１１の近傍の非変色領域の平均値を、周辺色として抽出する。なお、画像解析部２３０は、特許文献１に記載の手法により、変色領域５１１および周辺色の抽出を行ってもよい。
【００４９】
［１．３．３  第３ステップ］
次に、ステップＳ１３００において、画像解析部２３０は、顔部品の配置から、シート形状を決定する。具体的には、画像解析部２３０は、顔部品の位置を避けて、抽出された１つまたは複数の変色領域５１１の全体を覆う事ができる閉じた形状を、シート形状として決定する。シート形状とは、前述した実施の形態１の場合には、薄膜５０の薄膜本体５２０の形状に相当する。なお、被貼付面が顔の一部の場合には、顔は立体形状を有し、シートは基本形状が平面であるため、シート形状の大きさには５ｃｍ×５ｃｍ以下等の制限が設けられている事が望ましい。
【００５０】
［１．３．４  第４ステップ］
次に、ステップＳ１４００において、画像処理装置２００が備える印刷種別決定部２４０は、ステップＳ１２００で取得した変色領域情報および周辺領域情報に基づいて、印刷情報を生成する。印刷情報は、例えば、画像、印刷材料、下地材料の使用の有無、印刷工法の有無等の情報を含む。
【００５１】
本例の場合、印刷種別決定部２４０は、変色領域情報および周辺領域情報に基づいて、薄膜５０の第一の機能層５３０に関する印刷情報を生成する。具体的には、本例の場合、変色領域情報に含まれる変色領域５１１の寸法、形状および色、ならびに、周辺領域情報に含まれる周辺色等を考慮して、第一の機能層５３０が変色領域５１１に対してシミ隠しの効果を発揮するような印刷情報を生成する。即ち、印刷種別決定部２４０は、第一の機能層５３０の第一の機能性成分として、シミ隠しの機能を発揮する色成分を印刷情報に設定する。
【００５２】
次に、印刷種別決定部２４０は、変色領域情報に基づいて、薄膜５０の第二の機能層５４０の印刷情報を生成する。具体的には、本例の場合、変色領域情報に含まれる変色領域５１１の寸法、形状および色等に基づいて、第二の機能層５４０が変色領域５１１に対して美白作用を発揮できるような印刷情報を生成する。そして、印刷種別決定部２４０は、印刷情報を、印刷制御部２５０に出力する。
【００５３】
また、印刷種別決定部２４０は、印刷情報に基づいて生成した第一の機能層５３０または第二の機能層５４０に関する情報を表示部２０３に表示することができる。例えば、印刷種別決定部２４０は、印刷情報に基づいて生成した第一の機能層５３０または第二の機能層５４０の画像を、顔画像５００の変色領域５１１に重ねたシミュレーション画像を、表示部２０３に表示する機能を有する。ユーザは、表示部２０３に表示されたシミュレーション画像を見ながら、第一の機能層５３０または第二の機能層５４０に関する位置、大きさ、範囲、形状、色等に関する印刷情報を調整できる。
【００５４】
［１．３．５  第５ステップ］
次に、ステップＳ１５００において、画像処理装置２００が備える印刷制御部２５０は、ステップＳ１４００で生成した印刷情報に基づいて、薄膜本体５２０の表面の第一の機能層５３０に相当する部分および薄膜本体５２０の裏面の第二の機能層５４０に相当する部分に、印刷すべき内容の印刷データを生成する。印刷データには、前述した材料データおよび画像データが含まれる。また、印刷制御部２５０は、印刷データに、印刷情報に従った動作を指示する制御情報を含めることができる。例えば、制御情報は、第一の機能層５３０の印刷と第二の機能層５４０の印刷との間に、第一の機能層５３０を乾かす工程を含める指令を含むことができる。
【００５５】
［１．３．６  第６ステップ］
ステップＳ１６００において、印刷制御部２５０は、生成された印刷データを、印刷装置３００へ出力する。なお、前述したＳ１１００〜Ｓ１６００の処理は、画像処理装置２００で実行される。
【００５６】
［１．３．７  第７ステップ］
ステップＳ１７００において、印刷装置３００は、印刷制御部２５０から受け取った印刷データに基づいて、薄膜本体５２０の表面に第一の機能層５３０を印刷する。なお、第一の機能層５３０の構造に関しては、前述した内容と重複するため省略する。また、印刷方法としては、スプレー印刷、インクジェット印刷、オフセット印刷などの各種方法を適宜採用できる。
【００５７】
［１．３．８  第８ステップ］
次に、ステップＳ１８００において、印刷装置３００は、印刷データに含まれる制御情報に基づいて、内部に備えるヒータ等の乾燥装置（図示省略）を駆動する。このような乾燥装置は、薄膜本体５２０の表面に印刷された第一の機能層５３０を乾燥させる乾燥処理を行う。乾燥装置は、例えば、熱風式、遠赤外線式等の乾燥装置である。なお、乾燥装置は、第一の機能層５３０の第一の機能性成分が変性しない構造のものが好ましい。本例の場合、第一の機能性成分である色成分は、熱に対して変性が生じにくい。なお、第一の機能層５３０の第一の印刷材料が、高い乾燥性を有している場合には、印刷装置３００は、乾燥処理を行わなくてもよい。
【００５８】
［１．３．９  第９ステップ］
次に、ステップＳ１９００において、印刷装置３００は、薄膜本体５２０を反転させる。薄膜本体５２０を反転させる構造は、従来の両面印刷機能を備えた印刷装置の反転機構等で実現できるため、詳細な説明は省略する。なお、印刷装置の構造によっては、印刷装置３００は、薄膜本体５２０を反転させる必要はない。
【００５９】
［１．３．１０  第１０ステップ］
次に、ステップＳ２０００において、印刷装置３００は、印刷制御部２５０から受け取った印刷データに基づいて、薄膜本体５２０の裏面に第二の機能層５４０を印刷する。なお、第二の機能層５４０の構造に関しては、前述した内容と重複するため省略する。本例の場合、印刷装置３００は、薄膜本体５２０の裏面に印刷された第二の機能層５４０に対して、乾燥処理を行わない。この理由は、第二の機能層５４０の第二の機能性成分である美白成分は、熱によって変性する可能性があるからである。すなわち、美容効果または医療効果を発揮する機能性成分は、熱によって変性する可能性があるため、印刷後に乾燥処理を行わないのが好ましい。なお、印刷方法としては、スプレー印刷、インクジェット印刷、オフセット印刷などの各種方法を適宜採用できる。また、第一の機能層と第二の機能層の印刷方法は同一でもよいし異なる方法の組合せも可能である。例えば、表面の第一の機能層はインクジェット印刷で第一の機能性成分を塗布し、裏面の第二の機能層はスプレー印刷で第二の機能性成分を塗布してもよい。
【００６０】
［１．３．１１  第１１ステップ］
最後に、ステップＳ２１００において、画像処理装置２００が備える画像取得部２２０は、ユーザ操作等により処理の終了を指示されたか否かを判断する。画像取得部２２０は、処理の終了を指示されていない場合で、ユーザが「印刷の続行」を選択している場合には、ユーザの選択に応じて処理をステップＳ１７００へ戻す。また、ユーザが「最初に戻る」を選択している場合には、ユーザの選択に応じて処理をステップＳ１１００へ戻す。更に、画像取得部２２０は、処理の終了を指示された場合には、一連の処理を終了する。
【００６１】
以上のようなフローにより、画像処理装置２００は、顔の変色領域５１１を自動で抽出し、変色領域５１１から抽出した変色領域情報および周辺領域情報に基づいて印刷データを決定し、変色領域５１１を効率的にカバーする薄膜５０を、印刷装置３００を使用して生成する事ができる。
【００６２】
［１．４  作用・効果］
本実施の形態の薄膜５０によれば、１枚の薄膜５０で、変色領域５１１に対して異なる効果を及ぼすことができる。即ち、薄膜５０は、薄膜本体５２０の表面に第一の機能層５３０を設けると共に、同じく裏面に第二の機能層５４０を設け、かつ、第一の機能層５３０の第一の機能性成分と、第二の機能層５４０の第二の機能性成分とを異ならせている。このため、薄膜５０は、変色領域５１１に対して、第一の機能性成分に基づく効果（例えば、シミ隠しの効果）と、第二の機能性成分に基づく効果（例えば、美白効果）との両方を及ぼすことができる。
【００６３】
また、第一の機能層５３０の第一の機能性成分をメイク成分とした場合に、貼付状態での、第一の機能層５３０とユーザの肌上の皮脂との接触が、薄膜本体５２０により緩和されるため、化粧崩れを低減できる。
【００６４】
［２．  実施の形態２］
図５Ａ〜５Ｃを参照して、実施の形態２の薄膜について説明する。
【００６５】
本実施の形態の薄膜５０ａは、実施の形態１の薄膜５０と同様に、薄膜本体５２０と、薄膜本体５２０の表面に積層されたシート状の第一の機能層５３０ａと、薄膜本体５２０の裏面に積層されたシート状の第二の機能層５４０ａとを備えている。なお、薄膜本体５２０の構成は、実施の形態１の薄膜５０と同様である。
【００６６】
第一の機能層５３０ａは、平面視の形状が前述した実施の形態１と同様である。本実施の形態の場合、第一の機能層５３０ａが、変色領域５１１に対してシミ隠しの効果を及ぼす。このため、第一の機能層５３０ａは、少なくとも色成分を含む第一の機能性成分により構成されている。このような色成分は、例えば、変色領域５１１の周辺の色である周辺色である。なお、第一の機能層５３０ａに、例えば、変色領域５１１の周辺の色のばらつきに合わせたグラデーションを施せば、貼付状態での、第一の機能層５３０ａの肌への色なじみを向上できる。このよう第一の機能層５３０ａは、貼付状態で、表裏方向に関して、肌に形成された２個の変色領域５１１および変色領域５１１の周囲部分と重畳する大きさおよび形状を有している。
【００６７】
第二の機能層５４０ａは、薄膜本体５２０の裏面の２箇所に積層された楕円形シート状の一対の裏側機能層素子５５０ａ、５５０ｂにより構成されている。一対の裏側機能層素子５５０ａ、５５０ｂは、少なくとも光を遮蔽する遮蔽成分を含む第二の機能性成分により構成されている。また、一対の裏側機能層素子５５０ａ、５５０ｂは、全体が、表裏方向に関して第一の機能層５３０ａと重畳している。換言すれば、一対の機能層素子５５０ａ、５５０ｂは、図５Ｂに示す平面視で、第一の機能層５３０ａの外周縁よりも内径側に形成されている。
【００６８】
このような一対の裏側機能層素子５５０ａ、５５０ｂは、薄膜本体５２０のうち、肌に形成された２個の変色領域５１１に表裏方向に重畳した状態で貼付できる位置に形成されている。なお、本例の場合、一対の裏側機能層素子５５０ａ、５５０ｂは、貼付状態において重畳する変色領域５１１とほぼ同じ形状に形成されている。ただし、一対の機能層素子５５０ａ、５５０ｂは、貼付状態において重畳する変色領域５１１よりも一回りほど大きい形状でもよい。このような構成を採用すれば、薄膜５０ａを貼付する際の位置ずれをカバーし易い。その他の構成は、前述した実施の形態１と同様である。なお、本実施の形態の薄膜５０ａの形成方法は、図４を参照して説明した薄膜の形成方法とほぼ同様である。
【００６９】
［２．１  付記］
［２．２  作用・効果］
本実施の形態の薄膜５０ａによれば、１枚の薄膜５０ａが、変色領域５１１に対して発揮するシミ隠しの効果を向上できる。即ち、薄膜５０ａは、第二の機能層５４０ａが発揮する遮蔽効果により、薄膜５０ａを変色領域５１１に貼付した状態で、変色領域５１１が透けにくくなる。この結果、第一の機能層５３０ａが発揮するシミ隠しの効果を向上できる。
【００７０】
［３．  実施の形態３］
図６Ａ〜６Ｃを参照して、実施の形態３の薄膜について説明する。
【００７１】
本実施の形態の薄膜５０ｃは、実施の形態２の薄膜５０ａと同様に、薄膜本体５２０と、薄膜本体５２０の表面に積層されたシート状の第一の機能層５３０ａと、薄膜本体５２０の裏面に積層されたシート状の第二の機能層５４０ｂとを備えている。なお、薄膜本体５２０および第一の機能層５３０ａの構成は、実施の形態２の薄膜５０ａと同様である。
【００７２】
第二の機能層５４０ｂは、前述した実施の形態２と同様に、薄膜本体５２０の裏面の２箇所に積層された楕円形シート状の一対の裏側機能層素子５５０ｃ、５５０ｄにより構成されている。このような一対の裏側機能層素子５５０ｃ、５５０ｄは、美白成分を含む第二の機能性成分により構成されている。その他の構成は、前述した実施の形態２と同様である。なお、本実施の形態の薄膜５０ａの形成方法は、図４を参照して説明した薄膜の形成方法とほぼ同様である。
【００７３】
［３．１  作用効果］
本実施の形態の薄膜５０ｃによれば、１枚の薄膜５０ｃで、変色領域５１１に対して異なる効果を及ぼすことができる。即ち、薄膜５０ｃは、第一の機能性成分に基づくシミ隠しの効果と、第二の機能性成分に基づく効果美白効果との両方を、変色領域５１１に対して及ぼすことができる。
【００７４】
また、第二の機能層５４０ｂは、貼付状態において、変色領域５１１とのみ、または、変色領域５１１および変色領域５１１にごく近い周囲のみに重畳する。このため、薄膜５０ｃは、美白効果を、美白効果が必要ない非変色領域には及ぼさず、美白効果が必要な変色領域５１１に集中して及ぼすことができる。
【００７５】
［４．  実施の形態４］
図７Ａ〜７Ｃを参照して、実施の形態４の薄膜について説明する。
【００７６】
本実施の形態の薄膜５０ｄは、薄膜本体５２０と、薄膜本体５２０の表面に積層されたシート状の第一の機能層５３０ｂと、薄膜本体５２０の裏面に積層されたシート状の第二の機能層５４０ｂとを備えている。なお、薄膜本体５２０および第二の機能層５４０ｂの構成は、前述した実施の形態３の薄膜と同様である。
【００７７】
第一の機能層５３０ｂは、薄膜本体５２０の表面の２箇所に積層された楕円形シート状の一対の表側機能層素子５６０ａ、５６０ｂにより構成されている。一対の表側機能層素子５６０ａ、５６０ｂは、紫外線防御成分（紫外線吸収成分、紫外線散乱成分）を含む第二の機能性成分により構成されている。このような一対の表側機能層素子５６０ａ、５６０ｂは、薄膜本体５２０のうち、肌に形成された２個の変色領域５１１に重畳した状態で貼付できる位置に形成されている。本例の場合、一対の表側機能層素子５６０ａ、５６０ｂの全体が、一対の裏側機能層素子５５０ｃ、５５０ｄの全体と、表裏方向に関して重畳している。その他の構成は、前述した実施の形態３と同様である。なお、本実施の形態の薄膜５０ｄの形成方法は、図４を参照して説明した薄膜の形成方法とほぼ同様である。
【００７８】
［４．１  作用効果］
本実施の形態の薄膜５０ｄによれば、１枚の薄膜５０ｄで、変色領域５１１に対して異なる効果を発揮できる。即ち、薄膜５０ｄは、変色領域５１１に対して、第一の機能性成分に基づくＵＶカット効果と、第二の機能性成分に基づく美白効果との両方を、変色領域５１１に対して発揮できる。また、美白成分は、光で劣化または変性し易い性質を有している。本実施の形態の場合、第一の機能性成分に基づくＵＶカット効果により、第二の機能性成分が含む美容成分が、劣化または変性しにくくなる。
【００７９】
［５．  実施の形態に関する付記］
実施の形態の薄膜の第一の機能層および第二の機能層の形状を、被貼付面の形状よりも、例えば、ひと回り大きくすれば、薄膜を貼付する際の位置ずれをカバーできる。また、第一の機能性成分および第二の機能性成分は、１種類の機能性成分に限らず、複数種類の機能性成分により構成されていてもよい。
【００８０】
また、第一の機能層と第二の機能層とは、表裏方向に重畳している必要はない。
【００８１】
また、第一の機能性成分と第二の機能性成分の組み合わせは、前述した各実施の形態の場合に限定されない。
【００８２】
また、薄膜本体が、機能性成分の透過性を有している場合には、薄膜本体の肌側面側の機能層（例えば、第二の機能層）が被貼付面に浸透する時間と、外側面側の機能層（例えば、第一の機能層）が被貼付面に浸透する時間との間に差を設けることができる。このため、肌側面側の機能層の効果が被貼付面に及ぶ時間と、外側面側の機能層の効果が被貼付面に及ぶ時間との関係を調整し得る。例えば、薄膜本体がファイバー製の場合、形成条件によりファイバー密度（換言すれば、網目の詰まり具合）を調整できる。このようなファイバー密度の調整により、外側面側の機能層が、ファイバー製の薄膜本体を透過する速度を調整できる。この結果、肌側面側の機能層の肌への浸透時間と、外側面側の機能層の肌への浸透時間との関係を任意に調整できる。具体的には例えば、肌の水分量の計測結果またはユーザの入力結果に基づいて肌が乾燥気味と判断した場合には、肌側面側の機能層に肌を柔軟にする機能性成分（例えば、ブースター成分）を塗布すると共に、外側面側の機能層に保湿性を有する機能性成分を積層する。これにより、肌側面側の機能層の機能性成分により肌の改質を十分に行いながら、外側面側の機能層の機能性成分を肌に浸透させることができる。
【００８３】
また、第一の機能層が含む機能性成分と、第二の機能層が含む機能性成分との間に蒸散性の違いがある場合には、蒸散しやすい機能性成分を含んだ機能層を薄膜本体の肌側面側に配置し、蒸散しにくい機能性成分を含んだ機能層を薄膜本体の外側面側に配置するようにする。この結果、蒸散し易い方の機能性成分の蒸散を抑えられるため、機能性成分の効果を無駄なく発揮させることができる。なお、蒸散しにくい機能性成分としては例えば、色成分等を含むいわゆるメイク成分等が挙げられる。
【産業上の利用可能性】
【００８４】
本開示に係る薄膜貼付装置は、特に、美容に関する用途に有用である。
【符号の説明】
【００８５】
１００  メイク支援システム
２００  画像処理装置
２０１  照明部
２０２  カメラ
２０３  表示部
３００  印刷装置
４００  ユーザ
５０，５０ａ，５０ｃ，５０ｄ  薄膜
５１１  変色領域
５２０  薄膜本体
５３０，５３０ａ，５３０ｂ  第一の機能層
５４０，５４０ａ，５４０ｂ  第二の機能層
５５０ａ，５５０ｂ，５５０ｃ，５５０ｄ  裏側機能層素子
５６０ａ，５６０ｂ  表側機能層素子
【図１Ａ】
2018061595.tif 000003
【図１Ｂ】
2018061595.tif 000004
【図１Ｃ】
2018061595.tif 000005
【図２】
2018061595.tif 000006
【図３】
2018061595.tif 000007
【図４】
2018061595.tif 000008
【図５Ａ】
2018061595.tif 000009
【図５Ｂ】
2018061595.tif 000010
【図５Ｃ】
2018061595.tif 000011
【図６Ａ】
2018061595.tif 000012
【図６Ｂ】
2018061595.tif 000013
【図６Ｃ】
2018061595.tif 000014
【図７Ａ】
2018061595.tif 000015
【図７Ｂ】
2018061595.tif 000016
【図７Ｃ】
2018061595.tif 000017
【国際調査報告】
2018061595.tif 000018
2018061595.tif 000019
2018061595.tif 000020
2018061595.tif 000021